(57)【要約】【課題】  本考案は、ケース等の収容物を搬送する場合に隙間が生じても収容物が勝手に動くのを防止できる搬送用箱を提供する。【解決手段】  搬送用箱１０の箱本体１２には開口部２２が形成され、開口部２２を介して箱本体１２の収容部２４にケース２６を出し入れできるようになっている。前記箱本体１２の上端部には横折線３８を介して第１押圧片４０と第２押圧片４２が形成されている。また、前記箱本体１２の背面板１６には箱本体１２と共に搬送用箱１０を構成する蓋本体６０が連続して形成されている。この蓋本体６０の蓋天面板６４の先端部には横折線６６を介して蓋正面板６８が形成され、蓋正面板６８の下端部には横折線７０を介して第１高さ方向押圧片７２と第２高さ方向押圧片７４が形成されている。【選択図】  図１
0003113649.tif 000002
【実用新案登録請求の範囲】
【請求項１】
収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する押圧片と、を有してなることを特徴とする搬送用箱。
【請求項２】
収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する押圧片と、前記蓋本体の折返正面板の下端部に横折線を介して連続形成されると共に前記収容部に折り返して配設できる高さ方向押圧片と、を有してなることを特徴とする搬送用箱。
【請求項３】
収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する第１押圧片、第２押圧片と、前記蓋本体の折返正面板の下端部に横折線を介して連続形成されると共に前記収容部に折り返して配設できる第１高さ方向押圧片、第２高さ方向押圧片と、を有してなることを特徴とする搬送用箱。
【考案の詳細な説明】
【技術分野】
【０００１】
本考案は、ダンボール等の適宜材料で製造されて主にケース等の収容物を搬送する場合に使用される搬送用箱に関する。
【背景技術】
【０００２】
ＤＶＤやＣＤを入れたケースを搬送する場合は前記ケースを複数個、搬送用箱に収容して搬送している。
一般的に、前記搬送用箱は大きさなどによって収容されるケースの定数が決まっているため、定数のケースを収容する場合は隙間無く収容されるため、搬送中にケースが動いてしまうことはない。
しかし、定数以下のケースを搬送する場合は搬送用箱とケースとの間に隙間が生じてしまい搬送中にケースが動いてしまうという不具合がある。
そこで、定数以下のケースを搬送する場合は搬送用箱とケースとの間に生じた隙間に新聞紙等を丸めた詰め物を隙間に詰めて搬送中にケースが勝手に動いてしまうのを防止している。
しかし、前記隙間に新聞紙等を丸めた詰め物を詰めるのは煩雑であると共に余計な作業となり収容作業の作業効率が低下するという不具合がある。
【考案の開示】
【考案が解決しようとする課題】
【０００３】
本考案は、上記事実に鑑みなされたものでありケース等の収容物を搬送する場合に隙間が生じても収容物が勝手に動くのを防止できる搬送用箱を提供するものである。
【課題を解決するための手段】
【０００４】
請求項１の考案は、収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する押圧片と、を有していることを特徴としている。
請求項２の考案は、収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する押圧片と、前記蓋本体の折返正面板の下端部に横折線を介して連続形成されると共に前記収容部に折り返して配設できる高さ方向押圧片と、を有していることを特徴としている。
請求項３の考案は、収容物を収容して搬送する搬送用箱であって、この搬送箱を構成すると共に前記収容物を収容する収容部が設けられた箱本体と、この箱本体と共に前記搬送用箱を構成すると共に前記箱本体の開口部を開閉できる蓋本体と、前記箱本体の正面板の上端部に横折線を介して形成されて前記収容部に折り返して配設されると共に前記収容部に収容された収容物を押圧する第１押圧片、第２押圧片と、前記蓋本体の折返正面板の下端部に横折線を介して連続形成されると共に前記収容部に折り返して配設できる第１高さ方向押圧片、第２高さ方向押圧片と、を有していることを特徴としている。
【考案の効果】
【０００５】
本考案の搬送用箱は、搬送用箱内に隙間があっても収容物が勝手に動くのを防止できるので隙間に詰める詰め物を用意したり詰めたりする必要がないので収容作業の作業効率を向上させることができるという優れた効果を有する。
また、請求項２及び請求項３の搬送用箱は、上記優れた効果の他に、収容物が高さ方向に動くのを防止できるという優れた効果を有する。
さらに、請求項３の搬送用箱は、上記優れた効果の他に、第１押圧片、第２押圧片、第１高さ方向押圧片、第２高さ方向押圧片が別々に形成されているので、搬送用箱の収容部の場所によって収容物の収容される数や収容物の高さが異なっていても収容物が動くのをきめ細かく防止することができるという優れた効果を有する。
【考案を実施するための最良の形態】
【０００６】
考案を実施するために最良の形態の例として以下のような実施例を示す。
【実施例１】
【０００７】
図１〜図７には本考案の搬送用箱の一実施例が示されている。なお、この実施例ではダンボールで製造した搬送用箱について説明する。また、この実施例では搬送用箱を使用してＤＶＤが入ったケースを搬送する場合を例にして説明する。
図１に示されるように、搬送用箱１０の箱本体１２は正面板１４、背面板１６、第１側面板１８、第２側面板２０、底面板２１によって箱状に形成されている。また、前記箱本体１２には開口部２２が形成され、開口部２２を介して前記箱本体１２の収容部２４に収容物としてのＤＶＤが入ったケース２６（図３参照）を出し入れできるようになっている。
前記第１側面板１８には縦折線３０を介して第１折曲片３２が連続形成され、前記第２側面板２０には縦折線３４を介して第２折曲片３６が連続形成されている。この第１折曲片３２、第２折曲片３６の正面側には前記正面板１４が配設されている。
前記正面板１４の上端部には横方向に向って形成された横折線３８を介して第１押圧片４０と第２押圧片４２がそれぞれ並んで連続形成されている。なお、この第１押圧片４０と第２押圧片４２は前記第１折曲片３２と第２折曲片３６の間に位置し、これら第１押圧片４０と第２押圧片４２は前記横折線３８を介して前記箱本体１２の収容部２４の内側に折り返えすことができるようになっている（図３参照）。
図２に示されるように、前記正面板１４の一側には折線４４を介して第１差込片４６が形成され、正面板１４の他側には折線５０を介して第２差込片５２が形成されている。この第１差込片４６は前記折線３０上に形成された第１スリット５４に差し込まれ、第２差込片５２は前記折線３４上に形成された第２スリット５６に差し込まれるようになっている。
図１に示されるように、前記背面板１６には前記箱本体１２と共に前記搬送用箱１０を構成する蓋本体６０が連続して形成されている。即ち、前記背面板１６には横折線６２を介して蓋天面板６４が連続形成されている。また、この蓋天面板６４の先端部には横方向に形成された横折線６６を介して蓋正面板６８が連続形成されている。この蓋正面板６８の下端部には横方向に形成された横折線７０を介して第１高さ方向押圧片７２と第２高さ方向押圧片７４がそれぞれ並んだ状態で連続形成されている。
図４に示されるように、これら第１高さ方向押圧片７２と第２高さ方向押圧片７４も前記箱本体１２の収容部２４の内側に差し込むことができるようになっている。
【０００８】
前記搬送用箱１０の作用について説明する。なお、実施例ではケース２６の収容定数が４個の搬送用箱１０にケース２６を収容する場合を例にして説明する。
この搬送用箱１０の箱本体１２の収容部２４にＤＶＤを入れたケース２６を入れる場合は予め前記第１押圧片４０と第２押圧片４２を横折線３８を介して箱本体１２の収容部２４の内側に折り返えしておく。
そして、この状態の前記搬送用箱１０の収容部２４に開口部２２からケース２６を４個詰め込む（図３参照）。そして、図４に示すように蓋本体６０を閉じるようにすると共に前記蓋体６０の第１高さ方向押圧片７２と第２高さ方向押圧片７４をケース２６と前記第１押圧片４０と第２押圧片４２の間に差し込む。
これにより、前記搬送用箱１０へのケース２６の収容作業が終了する。
【０００９】
次に、前記搬送用箱１０の箱本体１２の収容部２４にＤＶＤを入れたケース２６を２個しか収容しない場合について説明する。
前記と同様に、第１押圧片４０と第２押圧片４２を横折線３８を介して箱本体１２の収容部２４の内側に折り返えしておく。
そして、この状態の前記搬送用箱１０の収容部２４に開口部２２からケース２６を２個詰め込む。すると図５に示されるように折り返されていた前記第１押圧片４０と第２押圧片４２は矢印Ａ方向に戻ろうとするため前記第１押圧片４０の先端部と第２押圧片４２の先端部が前記ケース２６に当たってケース２６を押圧する。
従って、前記収容部２４内にはケース２６の２個分の隙間Ｓが生じていても前記第１押圧片４０と第２押圧片４２が前記ケース２６を押圧するため、搬送中にケース２６が勝手に動いてしまうのを防止することができる。
そして、図６に示すように蓋本体６０を閉じると共に前記蓋体６０の第１高さ方向押圧片７２と第２高さ方向押圧片７４を収容部２４に差し込むことにより、前記搬送用箱１０へのケース２６の収容作業が終了する。
従って、前記収容部２４内の隙間Ｓに新聞紙等を丸めた詰め物を詰めなくてもケース２６が搬送中に動くことがないので、新聞紙等を丸めた詰め物を用意する必要がないと共に前記詰め物を詰め込む作業が不要であるので、ケース２６の収容作業の作業効率化を図ることができる。
【００１０】
また、前記搬送用箱１０に背の低いケース２６を２個収容する場合は図７に示すように前記第１高さ方向押圧片７２と第２高さ方向押圧片７４を折り曲げて前記ケース２６の上面に位置させる。これにより、前記ケース２６の上方に隙間Ｓが生じても前記第１高さ方向押圧片７２と第２高さ方向押圧片７４が前記ケース２６を押圧するのでケース２６が上方に移動することを防止できる。
従って、前記ケース２６の上方に隙間Ｓが生じていても搬送中にケース２６が上方に動くのを防止することができる。
【００１１】
なお、前記第１押圧片４０と第２押圧片４２及び前記第１高さ方向押圧片７２と第２高さ方向押圧片７４はそれぞれ別々に形成されているので、収容部２４の場所によって収容されるケース２６の枚数が異なったり、ケース２６の高さが異なったりしても前記第１押圧片４０、第２押圧片４２、第１高さ方向押圧片７２、第２高さ方向押圧片７４を別々に使用することによりケース２６を押圧してケース２６が動かないようにきめ細かい調節をすることができる。
【００１２】
なお、実施例では搬送用箱１０はダンボールで製造した場合を示したが、搬送用箱１０はダンボール以外で製造してもよいことは勿論である。
また、実施例ではＤＶＤを入れたケース２６を搬送する場合を例にして説明したが、搬送するものは前記ケース２６に限定されるものでないことは勿論である。
【図面の簡単な説明】
【００１３】
【図１】実施例の搬送用箱の蓋体を開けた状態の全体斜視図である。
【図２】実施例の搬送用箱の展開図である。
【図３】実施例の搬送用箱の作用説明図である。
【図４】実施例の搬送用箱の作用説明図である。
【図５】実施例の搬送用箱の作用説明図である。
【図６】実施例の搬送用箱の作用説明図である。
【図７】実施例の搬送用箱の作用説明図である。
【符号の説明】
【００１４】
１０    搬送用箱
１２    箱本体
１４    正面板
１６    背面板
１８    第１側面板
２０    第２側面板
２１    底面板
２２    開口部
２４    収容部
３０    縦折線
３２    第１折曲片
３４    縦折線
３６    第２折曲片
３８    横折線
４０    第１押圧片
４２    第２押圧片
６０    蓋本体
６２    横折線
６４    蓋天面板
６８    蓋正面板
７０    横折線
７２    第１高さ方向押圧片
７４    第２高さ方向押圧片
【図１】
0003113649.tif 000003
【図２】
0003113649.tif 000004
【図３】
0003113649.tif 000005
【図４】
0003113649.tif 000006
【図５】
0003113649.tif 000007
【図６】
0003113649.tif 000008
【図７】
0003113649.tif 000009